【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
金属製もしくは金属光沢を発する線材により形成した第１脅し輪及び第２脅し輪を、２箇所の連結具で連結したことを特徴とする鳥類脅し具。
【請求項２】
前記両脅し輪を、いずれか一方が他方の中に完全に入る直径のものとするとともに、前記各連結具を、前記両脅し輪の間に介在されて両者間に摩擦力を発生させるフリクション材を有したものとしたことを特徴とする請求項１に記載の鳥類脅し具。
【請求項３】
前記各連結具を、取付台に固定した取付基板にそれぞれ取り付けるとともに、前記取付台を構造物に取り付けることにより、前記第１脅し輪及び第２脅し輪を開閉自在に連結したことを特徴とする請求項１又は請求項２記載の鳥類脅し具。
【請求項４】
線材又は板材により形成した第１脅し輪及び第２脅し輪を、交差状態で支持してなることを特徴とする鳥類脅し具。
【請求項５】
前記線材又は板材は、金属又は金属光沢を発するものであることを特徴とする請求項４記載の鳥類脅し具。
【請求項６】
前記第１脅し輪及び前記第２脅し輪は、交差状態で支持する取付基板を備えていることを特徴とする請求項４又は５に記載の鳥類脅し具。
【手続補正２】
【補正対象書類名】明細書
【補正対象項目名】全文
【補正方法】変更
【補正の内容】
【発明の詳細な説明】
【発明の名称】鳥類脅し具
【技術分野】
【０００１】
本発明は、カラス、カワウ、カササギ（カチガラス）、ハト等の鳥類を脅すための道具に関し、特に、たった２つの輪だけで鳥類を脅すことのできる鳥類脅し具に関するものである。
【背景技術】
【０００２】
最近、田舎は勿論都会においても、カラスが増えてきており、特にゴミ集積場のゴミ漁りをするカラスは、ゴミ袋を破って中身を取り出すため、ゴミ集積場の近辺は汚れが烈しくなっており、どこの自治体も手を拱いているのが実状となっている。このカラスによるゴミの散乱を防止するため、各自治体では、例えばゴミ集積時間を短くしたり、あるいは集積されたゴミをネットで覆う対策がなされてきている。
【０００３】
しかしながら、集積時間の短縮は、各町内への連絡が徹底しにくく、ゴミ収集のための作業時間が不規則なために厳守できない場合があり、一方、ネットで覆うことはゴミ排出者に任せられていてなかなか徹底されにくい、等の理由から、実効性に乏しい実状にある。このため、例えば特許文献１あるいは特許文献２に示すような種々な脅し具も提案されてきている。
【０００４】
また、カラスは、図８に示すような鉄塔４０に営巣することがあり、この営巣の材料として導電性のハンガーを使用することが多くなってきている。この導電性のハンガーが、風に吹かれたり古くなったりして落下すると、下方に張ってあるパワーライン４１に接触してショート事故を引き起こすこともある。もし、パワーライン４１による送電が止まることになれば、経済的損失が莫大なものとなるだけでなく、鉄塔４０は一般的に山奥にあることが多いため、復旧作業も相当コストの掛かるものとなる。このようなことは、佐賀県では、「県鳥」である「カササギ（佐賀県ではカチガラスと言われている）」が、通常の電柱において同様な事故を数多く引き起こしているし、カワウが大発生している岐阜県の長良川近辺においても、そのような事故や「糞害」がみられる。
【０００５】
さらに、ハトやカラスについては、人家の近傍に営巣することがあり、その場合には、ハト等が排泄した糞によって周辺が汚れるという問題が発生しており、この「糞害」も自治体や住民の頭痛の種になっている。
【特許文献１】特開平８−９８６８号公報、要約、代表図
【特許文献２】特開平１１−３３２４５０号公報、要約、代表図
【発明の開示】
【発明が解決しようとする課題】
【０００６】
特許文献１の「被害連想誘発でカラスを撃退するカラスの模造おとり」は、「被害連想を誘発させるカラスの、逆さ吊りの模造おとりで、カラスに恐怖感と警戒感を起こし、おとりの周辺より撃退と排除作用を誘発させて、慣れを防ぎながら恒久的に一定の範囲からカラスを排除して、農作物の被害防止や、都市におけるカラスの被害面からの排除を目的」としてなされたもので、図９に示すように、「プラスチック又はゴムの薄膜でカラスを形どった、空気で膨らます風船状の模造おとりの風切羽に、馴れを無くす為にカラス又は鶏羽て不自然さを無くし、併せてモータ駆動の自動制御で、振り廻してカラスを排除する様に、馴れに応じて多段階の防除構成とする」ものである。
【０００７】
しかしながら、この特許文献１の脅し具は、その構成が非常に複雑で大型のものであり、例えばゴミ集積場において使用するには、その設置場所の確保が困難であることや、ゴミが収集された後の町内の景観を阻害するといった問題も考えられる。
【０００８】
一方、特許文献２の「カラス防除装置及び鳥類防除装置」は、「カラスが巣又は塒を放棄する確率が大きいカラス防除装置さらには鳥類防除装置を提供する」ことを目的としてなされたもので、図１０に示すように、「交流電源１と年間曙時間タイマー２と音声発生器３と増幅器４とスピーカー５とモーター６と磁石７を備えたカラス防除装置及び鳥類防除装置である。年間曙時間タイマー２は夜明け前１〜２時間の曙時間帯から音声発生器３とモーター６を起動するために設けられている」といった構成を有したものである。
【０００９】
しかしながら、この特許文献２の脅し具も、その構成が非常に複雑であり、「年間曙時間タイマー２は夜明け前１〜２時間の曙時間帯から音声発生器３とモーター６を起動するために設けられている」ため、ゴミ収集がなされない朝も音が発せられ、人家の間にあることの多いゴミ集積場に設置するものとしては好ましいものであるとは考えにくい。
【００１０】
そこで、本発明者は、少なくともゴミ集積場でのカラスを代表とする鳥類のいたずらが防止でき、しかも簡単な構成で使用し易い鳥類脅しとするにはどうしたらよいか、について種々検討してきた結果、カラスやカササギ等の鳥類は利口であるがため、自然界では存在し得ないものに非常に敏感で警戒心を持つことに着目して、本発明を完成したのである。
【００１１】
すなわち、本発明の目的とするところは、簡単な構成で鳥類脅しが確実に行え、使用しないときには小さくまとめておくことのできる鳥類脅しを提供することにある。
【課題を解決するための手段】
【００１２】
以上の課題を解決するために、本発明が採った手段は、鳥類の身長程度の直径を有して、金属製もしくは金属光沢を発する線材により形成した第１脅し輪及び第２脅し輪を、２箇所の連結具で開閉自在に連結したことを特徴とする鳥類脅し具、である。
【００１３】
すなわち、この発明に係る鳥類脅し具は、図１あるいは図５に示すように、第１脅し輪及び第２脅し輪を連結具によって連結したという非常に簡単な構成のものであるため、容易かつ低コストで製造することができるし、これらの第１脅し輪及び第２脅し輪を図１あるいは図５に示すように展開して使用するものであるから、使用そのものが簡単にできるものである。勿論、この鳥類脅し具を使用しないときには、図２に示すように第１脅し輪１１及び第２脅し輪を閉じておくこともできるのであるから、その置き場所に困ることもないものとなっている。
【００１４】
さて、この鳥類脅し具の具体的使用方法は、図１〜図４に示したものの場合には次のようにして行う。つまり、ゴミ集積場に集められた多数のゴミ袋の上に、第１脅し輪及び第２脅し輪を広げて乗せるのである。この場合、当該鳥類脅し具では、その第１脅し輪及び第２脅し輪の拡開角度について自由に設定できるので、多数のゴミ袋からなる山の頂上の形状に容易に合わせることができるものである。
【００１５】
このゴミ集積場にゴミ漁りにきたカラス等の鳥類は、図１に示すように、ゴミ袋の山上にある鳥類脅し具に注意を引きつけられ、警戒してゴミ袋を破ろうとはしないのである。何故なら、カラスやカチガラスは利口な鳥類であるため、自然界には余り存在しないもの、つまり理解不能なものに対しては警戒するものであるが、この鳥類脅し具は、自然界には存在しない「円環状物」で、しかも金属光沢を放つからである。しかも、当該鳥類脅し具の広げられた各第１脅し輪及び第２脅し輪の位置関係二つの円環が重なり合った関係も、自然界には存在しないものであるから、カラス等の鳥類は、ゴミ袋の集積場に集まるかも知れないが、警戒してゴミ袋中のエサとなるものを漁ることはないのである。
【００１６】
以上の通りであるから、この鳥類脅し具を設置した場所には、鳥類は余り近づかないことになり、上述したようにゴミ漁りをしないことは勿論、この鳥類脅し具の近傍で営巣することもなく、電柱や鉄塔でのショート事故を発生させることもなく、さらには、当該鳥類脅し具の近傍を糞で汚すこともなくなるのである。
【００１７】
従って、この鳥類脅し具は、簡単な構成で鳥類脅しが確実に行えるものとなっているのである。
【００１８】
さらに、上記課題を解決するために、上記鳥類脅し具について、両脅し輪を、いずれか一方が他方の中に完全に入る直径のものとするとともに、各連結具を、両脅し輪の間に介在されて両者間に摩擦力を発生させるフリクション材を有したものとしてもよい。
【００１９】
この鳥類脅し具は、両脅し輪の直径を、いずれか一方が他方の中に完全に入るものとしたから、図２に示すように、第１脅し輪及び第２脅し輪を閉じたとき、一方が他方の中に完全に入り込む。従って、この鳥類脅し具は、不使用時には小さく折り畳んでおくことができて邪魔にならないだけでなく、持ち運びにも非常に便利なものとなっていて、ゴミ集積場の当番の人が設置するのに非常に便利になっているのである。
【００２０】
換言すれば、この鳥類脅し具は、図１あるいは図５に示すように、第１脅し輪及び第２脅し輪を連結具によって連結したという非常に簡単な構成のものであるため、容易かつ低コストで製造することができるし、使用そのものが簡単にできるものである。
【００２１】
従って、この鳥類脅し具は、上記のそれと同様に簡単な構成で鳥類脅しが確実に行えることができる他、使用しないときには小さくまとめておくことができるものとなっているのである。
【００２２】
上記課題を解決するために、上記の鳥類脅し具について、各連結具を、取付台に固定した取付基板にそれぞれ取り付けるとともに、取付台を構造物に取り付けることにより、第１脅し輪及び第２脅し輪を開閉自在に連結してもよい。
【００２３】
すなわち、この鳥類脅し具は、主として鉄塔や電柱に対して定置しておけるもの、つまり固定式のものとしたものであり、そのために、図５〜図８に示すように、第１脅し輪及び第２脅し輪を固定するための取付基板、この取付基板を鉄塔や電柱に固定するための取付台を有しているのである。
【００２４】
すなわち、この鳥類脅し具では、まず、図６に示すように、第１脅し輪及び第２脅し輪をそれぞれ開閉自在に支持するための取付基板を有しているのであるが、この取付基板は、具体的には、互いに直角程度に拡開している２本の取付アームを一体化したものであり、各取付アームに上記連結具が取り付けてある。このため、この取付基板は、各連結具によって支持された第１脅し輪及び第２脅し輪を、図５〜図７に示すように、交差状態で支持することになるのである。
【００２５】
この取付基板それだけで鉄塔や電柱に固定することも可能ではあるが、本発明の鳥類脅し具では、この連結具にさらに取付台を一体化するようにしている。この取付台は、図８に示すような大きな鉄塔に取り付けるに当たって、その取付を確実かつ簡単に行えるようにし、しかも取付位置の調整も簡単に行えるようにするものである。つまり、この取付台が存在することによって、各第１脅し輪及び第２脅し輪の交差状態を維持しながら、どのような型式の鉄塔にも取り付けることができるようにする自由度を確保するものである。
【００２６】
また、これらの取付基板や取付台を、金属等の剛性材料によって形成しておけば、各第１脅し輪及び第２脅し輪の展開状態を長期間確実に維持することができるのである。
【００２７】
従って、この鳥類脅し具は、上記のそれと同様な機能を発揮する他、鉄塔や電柱に定置しておくための作業をより簡単に行えるのであり、その固定状態を長期間維持することができるものとなっているのである。
【発明の効果】
【００２８】
以上、詳述した通り、本発明に係る鳥類脅し具は、簡単な構成で鳥類脅しが確実に行える鳥類脅しを提供することができるのである。
【発明を実施するための最良の形態】
【００２９】
次に、上記のように構成した各請求項に係る発明を、図面に示した最良の形態である鳥類脅し具１０について説明するが、この鳥類脅し具１０は、図１〜図４に示した実施例１と、図５〜図８に示した実施例２とがあるので、各実施例についてそれぞれ説明していくこととする。
【実施例１】
【００３０】
図１には、実施例１に係る鳥類脅し具１０を実際に使用している状態が示してあるが、この鳥類脅し具１０は、図２〜図４にも示したように、鳥類３０の身長程度の直径を有して、金属製もしくは金属光沢を発する線材により形成した第１脅し輪１１及び第２脅し輪１２を、２箇所の連結具１３で開閉自在に連結したものである。
【００３１】
第１脅し輪１１及び第２脅し輪１２は、それぞれ文字通りの「輪」であるが、金属製もしくは金属光沢を発する線径が１ｍｍ〜２０ｍｍ程度の線材、あるいは厚さが０．５ｍｍ〜３ｍｍで、幅が５ｍｍ〜２０ｍｍ程度の長尺板材により形成したものである。これらの第１脅し輪１１及び第２脅し輪１２が金属製もしくは金属光沢を発する線材または板材によって形成する必要がある理由は、まず、これらの第１脅し輪１１及び第２脅し輪１２は、鳥類３０を脅すためのメインの部分となるものであり、脅せるものとするには、自然界には存在しないものとする必要があるからである。また、第１脅し輪１１及び第２脅し輪１２の線径が１ｍｍ〜２０ｍｍ程度、あるいは厚さが０．５ｍｍ〜３ｍｍで、幅が５ｍｍ〜２０ｍｍ程度の長尺板材である必要があるのは、このような線材あるいは板材は一般に安価に提供されているからであり、線材を「円環」に加工することが容易になるからである。
【００３２】
これらの第１脅し輪１１及び第２脅し輪１２は、図２に示したように、いずれか一方が他方の中に入り込むような大きさにすると良い。何故なら、不使用時には、図２に示した状態にして小さくしておくことができるからである。勿論、そのようにすることによって、図４にも示したように、第１脅し輪１１と第２脅し輪１２との間にフリクション材１４を介在させることもできるからである。
【００３３】
また、これらの第１脅し輪１１及び第２脅し輪１２は、図２及び図４にも示したように、２箇所の連結具１３によって互いに開閉自在に連結してある。これらの連結具１３は、使用時の第１脅し輪１１及び第２脅し輪１２を、図１及び図３に示したような状態で開放させておくことができるようにするものであるし、非使用時の第１脅し輪１１及び第２脅し輪１２を、図２に示すように折り畳んでおくことができるようにするものである。
【００３４】
これらの連結具１３には、上述したように、第１脅し輪１１と第２脅し輪１２との間にフリクション材１４を位置させて使用するとよい。このフリクション材１４が存在することによって第１脅し輪１１と第２脅し輪１２間に摩擦力が発生するから、第１脅し輪１１と第２脅し輪１２とを図１又は図３に示したように開放したときには、その開放状態を維持することができるのであるし、第１脅し輪１１と第２脅し輪１２とを図２及び図４に示したように折り畳んだ時には、その折り畳み状態も維持できるからである。
【実施例２】
【００３５】
図５〜図８には、実施例２に係る鳥類脅し具１０が示してあるが、この鳥類脅し具１０は、鉄塔４０や電柱に対して取り付けることができるようにしたものであるが、実施例１の鳥類脅し具１０のように、単にゴミ袋２０上に載置したり設置して使用することも可能である。なお、この実施例２の鳥類脅し具１０でも、実施例１のそれと共通する部材を使用しているものであり、以下の説明において、上記実施例１と同じ部材を使用する場合には、図５〜図８中に同一符号を付してその説明は省略することとする。
【００３６】
この実施例２の鳥類脅し具１０は、その各連結具１３を、取付台１６に固定した取付基板１４にそれぞれ取り付けるとともに、取付台１６を構造物に取り付けることができるようにしたものである。これらの取付基板１５や取付台１６は、各第１脅し輪１１及び第２脅し輪１２の展開状態を長期間確実に維持することができるようにするために、金属等の剛性材料によって形成してある。
【００３７】
また、この実施例２の鳥類脅し具１０では、第１脅し輪１１及び第２脅し輪１２をそれぞれ開閉自在に支持するための取付基板１５を有していたのであるが、この取付基板１５は、図６に示したように、互いに直角程度に拡開している２本の取付アーム１５ａを一体化したものであり、各取付アーム１５ａに上記連結具１３が取り付けられるようにしてある。
このため、この取付基板１５は、各連結具１３によって支持された第１脅し輪１１及び第２脅し輪１２を、図５〜図７に示したように、交差状態で支持することができるのである。
【００３８】
この取付基板１５それだけで鉄塔４０や電柱に固定することも可能ではあるが、本発明の鳥類脅し具１０では、この連結具１３にさらに取付台１６を一体化するようにしている。この取付台１６は、図８に示すような大きな鉄塔４０に取り付けるに当たって、その取付を確実かつ簡単に行えるようにし、しかも取付位置の調整も簡単に行えるようにするものである。つまり、この取付台１６が存在することによって、各第１脅し輪１１及び第２脅し輪１２の交差状態を維持しながら、どのような型式の鉄塔４０にも取り付けることができるようにする自由度を確保するものである。
【００３９】
また、実施形態の鳥類脅し具１０では、図６及び図７に示したように、第１脅し輪１１及び第２脅し輪１２をそれぞれ取付パイプ１３ａに挿通しておき、これらの取付パイプ１３ａをＵボルト１３ｂによって取付基板１５側に引き込めるようにしてある。各Ｕボルト１３ｂは、取付基板１５の裏面側の各ナットによって取付基板１５側に固定するようにするものである。これにより、第１脅し輪１１及び第２脅し輪１２は、取付基板１５あるいは取付台１６に対して開閉自在に連結されていることになる。
【００４０】
この実施例２の鳥類脅し具１０は、図８に示したように、鉄塔４０に取り付けられるのであるが、一番効果的な位置は、パワーライン４１を吊下している絶縁材４２の直上当たりである。何故なら、カラス等の鳥類３０が営巣した材料の一部が導電性のものであった場合に、これがショート事故の原因となるから、パワーライン４１やこれを吊下している絶縁材４２の直上に営巣しないようにするために、この鳥類脅し具１０を、取付基板１５や取付台１６を利用して、パワーライン４１やこれを吊下している絶縁材４２の直上当たりに取り付けておくと良いからである。
【図面の簡単な説明】
【００４１】
【図１】本発明の実施例１に係る鳥類脅し具を使用している状態を示す斜視図である。
【図２】同鳥類脅し具を折り畳んだ状態の斜視図である。
【図３】同鳥類脅し具の第１脅し輪と第２脅し輪とを平板状態の斜視図である。
【図４】同鳥類脅し具の部分拡大断面図である。
【図５】実施例２に係る同鳥類脅し具の平面図である。
【図６】図５の部分を拡大して示したもので、取付基板及び取付台の拡大平面図であ  る。
【図７】図５に示した取付基板及び取付台の側面図である。
【図８】同鳥類脅し具を使用している状態を示す斜視図である。
【図９】従来の技術を示す正面図である。
【図１０】従来の他の技術を示す回路図（Ａ）と部分正面図（Ｂ）である。
【符号の説明】
【００４２】
１０    鳥類脅し具
１１    第１脅し輪
１２    第２脅し輪
１３    連結具
１３ａ  取付パイプ
１３ｂ  Ｕボルト
１４    フリクション材
１５    取付基板
１５ａ  取付アーム
１６    取付台
２０    ゴミ袋
３０    鳥類
４０    鉄塔
４１    パワーライン
４２    絶縁材